(57)【要約】【課題】遊技の興趣を高め一層遊技意欲を向上することができる遊技機用データ表示装置及び不正遊技行為の取り締まりや防止に寄与できる遊技機用データ表示装置を提供する。【解決手段】リモコン送信機４３を操作して遊技中に大当り等の特定の事象が発生した場合にはデジタルカメラ２７が撮像した遊技者の画像とともに、その出玉数等の証拠となる遊技用データ等をカラー液晶ディスプレイ２２に表示することができ、遊技の興趣が高まり遊技意欲をより一層向上することができる。また、パチンコ機１に配設した扉開閉センサ５２や磁気・電波センサ５３の検出信号に基づき、デジタルカメラ２７が取り込んだ画像を画像ＲＯＭ３８に記憶するとともにカラー液晶ディスプレイ２２に表示することができるから、不正遊技行為を確認でき、その取り締まりやその防止に寄与できる。【選択図】　　　　図４
2004033268.tif 000002
【特許請求の範囲】
【請求項１】
外部からの信号入力手段と、操作信号入力手段と、入力信号を遊技用データとして処理する信号処理手段と、処理した遊技用データを表示する表示手段とからなり、各遊技機毎に配設される遊技機用データ表示装置であって、
画像データを入力する画像データ入力手段と、画像データ記憶手段と、画像データを処理して画像を前記表示手段に表示させる画像出力処理手段と、画像撮像手段と、該画像撮像手段の作動信号出力手段を備え、
該作動信号出力手段の作動信号に基づき、前記画像撮像手段が撮像して前記画像データ記憶手段に記憶した画像データを、前記遊技用データとともに前記表示手段に表示するようにしたことを特徴とする遊技機用データ表示装置。
【請求項２】
前記画像撮像手段の作動信号出力手段が、遠隔操作可能なリモートコントローラであることを特徴とする請求項１に記載の遊技機用データ表示装置。
【請求項３】
前記画像撮像手段の作動信号出力手段が、遊技機に配設した監視センサであることを特徴とする請求項１に記載の遊技機用データ表示装置。
【請求項４】
前記画像撮像手段の作動信号出力手段が、外部から制御信号を出力する制御信号出力手段であることを特徴とする請求項１に記載の遊技機用データ表示装置。
【請求項５】
前記画像撮像手段の作動信号出力手段が、遊技機若しくはホールに配設した手動スイッチであることを特徴とする請求項１に記載の遊技機用データ表示装置。
【発明の詳細な説明】
【０００１】
【発明の属する技術分野】
本発明は、パチンコ機や回胴式遊技機等の遊技機用データ表示装置に関するものである。
【０００２】
【従来の技術】
従来のパチンコ遊技機用データ表示装置は、パチンコ機選択の際若しくは遊技中にそのパチンコ機の設定期間毎の大当り回数、確率変動回数及び連続大当り回数の最大値を表示したり、他のパチンコ機の設定期間毎の大当り回数、確率変動回数及び連続大当り回数や出玉数を表示して、多くのパチンコ遊技機選択情報やサービス情報をパチンコ遊技者に提供している。これらの各種データは、ホールコンピュータから配信される。また、各種データとともにその背景に静止画像をが表示されるものもある。
【０００３】
【発明が解決しようとする課題】
しかしながら、遊技中に大当り等の特定の事象が発生した場合には、そのときの遊技者の画像をリアルタイムで取り込んで、その出玉数等の証拠となる遊技用データとともに表示することができれば、遊技意欲を一層向上することができる。さらに、遊技機に設置した監視センサの検出信号に基づいて画像を取り込むことができれば、不正行為の防止に寄与できる。
本発明は上記した点に鑑みてなされたもので、遊技者に有利な状態が発生した場合には、遊技者の画像を取り込んで遊技用データとともに表示して、遊技の興趣を高め一層遊技意欲を向上することができる遊技機用データ表示装置、及び不正遊技行為の取り締まりや防止に寄与できる遊技機用データ表示装置を提供することを目的するものである。
【０００４】
【課題を解決するための手段】
上記目的を達成するための請求項１に記載の遊技機用データ表示装置は、外部からの信号入力手段と、操作信号入力手段と、入力信号を遊技用データとして処理する信号処理手段と、処理した遊技用データを表示する表示手段とからなり、各遊技機毎に配設される遊技機用データ表示装置であって、画像データを入力する画像データ入力手段と、画像データ記憶手段と、画像データを処理して画像を前記表示手段に表示させる画像出力処理手段と、画像撮像手段と、該画像撮像手段の作動信号出力手段を備え、該作動信号出力手段の作動信号に基づき、前記画像撮像手段が撮像して前記画像データ記憶手段に記憶した画像データを、前記遊技用データとともに前記表示手段に表示するようにしたことを特徴とする。
【０００５】
請求項２に記載の遊技機用データ表示装置は、請求項１に記載の構成において、前記画像撮像手段の作動信号出力手段が、遠隔操作可能なリモートコントローラであることを特徴とする。
【０００６】
請求項３に記載の遊技機用データ表示装置は、請求項１に記載の構成において、前記画像撮像手段の作動信号出力手段が、遊技機に配設した監視センサであることを特徴とする。
【０００７】
請求項４に記載の遊技機用データ表示装置は、請求項１に記載の構成において、前記画像撮像手段の作動信号出力手段が、外部から制御信号を出力する制御信号出力手段であることを特徴とする。
【０００８】
請求項５に記載の遊技機用データ表示装置は、請求項１に記載の構成において、前記画像撮像手段の作動信号出力手段が、遊技機若しくはホールに配設した手動スイッチであることを特徴とする。
【０００９】
【発明の作用及び効果】
上記請求項１に記載の遊技機用データ表示装置によれば、画像データ入力手段により入力した画像データは、画像データ記憶手段により記憶するとともに、画像出力手段により処理されて遊技用データとともに表示手段に表示される。遊技中に大当り等の遊技者に有利な特定の事象が発生した場合には、作動信号出力手段の出力信号により画像撮像手段が撮像した遊技者の画像を記憶するとともに、その出玉数等の証拠となる遊技用データとともに表示手段に表示することができ、遊技の興趣が高まり遊技意欲を一層向上することができる。
【００１０】
請求項２に記載の遊技機用データ表示装置によれば、画像撮像手段の作動信号出力手段が、遠隔操作可能なリモートコントローラであるから、ホール従業員が的確に画像撮像手段を作動させることができる。
【００１１】
請求項３に記載の遊技機用データ表示装置によれば、画像撮像手段の作動信号出力手段が、遊技機に配設した監視センサであるから、遊技機に配設した監視センサの検出信号に基づき、画像撮像手段が撮像した画像を記憶するとともに表示手段に表示するから、遊技機の扉開閉を検出するセンサ或いは磁気・電波を検出するセンサを遊技機に配設することにより不正遊技行為を確認でき、不正遊技行為の取り締まりやその防止に寄与できる。
【００１２】
請求項４に記載の遊技機用データ表示装置によれば、画像撮像手段の作動信号出力手段が、外部から制御信号を出力する制御信号出力手段であるから、大当たりの発生時に出力する大当たり信号等により、画像撮像手段を自動的に作動させることができる。
【００１３】
請求項５に記載の遊技機用データ表示装置によれば、画像撮像手段の作動信号出力手段が、遊技機若しくはホールに配設した手動スイッチであるから、ホール従業員の判断により、若しくは遊技者の判断で画像撮像手段を作動させることができる。
【００１４】
【発明の実施の形態】
（第１実施形態）
本発明の第１実施形態についてパチンコ機に適用した態様で説明する。図１はパチンコ機１の概略を例示した正面図である。パチンコ機１の盤面２の略中央に、スロットマシン３が配設されている。スロットマシン３には、図柄表示部４が形成されている。図柄表示部４は、ドラム式、液晶式又はデジタル表示等により３個の図柄を表示するもので、各図柄を個別に変動表示できるようになっている。
【００１５】
その他、盤面２には通常の入賞口５、電気役物６を備えた大当り用入賞口７、スタート入賞口８等が設けられている。スタート入賞口８には、打玉が入賞したことを検知する入賞玉センサ９が設置されている。さらに、パチンコ機１には制御回路１０が配置され、上記入賞玉センサ９の検知信号が入力されると、図柄変動開始信号を出力してスロットマシン３の図柄表示部４に表示される図柄を変動させる。そして停止した図柄が揃って大当りとなると、大当り信号をホールコンピュータ１１に出力する。その他、制御回路１０からは、投入玉数信号、獲得玉数信号、スタート信号、確率変動信号等の遊技用データがホールコンピュータ１１や後述する遊技機用データ表示装置２１へ出力される。
【００１６】
また、パチンコ機１には遊技用データ及び画像を表示する遊技機用データ表示装置（以下単にデータ表示装置という）２１が設置されている。データ表示装置２１は、カラー液晶ディスプレイ２２、ＬＥＤランプ表示部２３及びサウンドスピーカ２４を備えるとともに、呼び出しボタン２５とデータ表示切替ボタン２６を備えている。呼び出しボタン２５はホール従業員を呼び出すためのもので、操作するとＬＥＤランプ表示部２３が点灯若しくは点滅する。また、データ表示切替ボタン２６は、カラー液晶ディスプレイ２２に表示される遊技用データや画像の表示を切替るためのものである。サウンドスピーカ２４は、ＢＧＭを流したりサービス情報等の音声を出力するものである。その他、撮像記憶手段であるデジタルカメラ２７が配設されている。さらに、データ表示装置２１には、前面にリモコン信号受信部２８が形成されている。
【００１７】
図３は第１実施形態のデータ表示装置２１の概略構成を示したブロック図である。データ表示装置２１は、画像入力コントローラ３１、画像切替コントローラ３２、画像表示コントローラ３３、主制御ＩＣ３４、リモコン信号受信ＩＣ３５、バス切替装置３６、ウォッチドッグタイマーＩＣ３７、画像ＲＯＭ３８、プログラムＲＯＭ３９、音源コントローラ４０、音源ＲＯＭ４１、通信インターフェース４２、信号入力インターフェース４３及び電源ユニット４４等から構成されている。
【００１８】
画像入力コントローラ３１は、デジタルカメラ２７に写っている画像を取り込んで画像ＲＯＭ３８に記憶させるものである。画像切替コントローラ３２は、データ表示切替ボタン２６の操作やホールコンピュータ１１からの表示切替信号等により、カラー液晶ディスプレイ２２に表示される遊技用データや画像の表示を切替えるためのものである。画像表示コントローラ３３は、カラー液晶ディスプレイ２２を制御して遊技用データや画像を表示させるものである。
【００１９】
主制御ＩＣ３４は、プログラムＲＯＭ３９に格納された処理プログラムを実行し、通信インターフェース４２を介して制御回路１０やホールコンピュータ１１から出力される大当り信号、投入玉数信号、獲得玉数信号、スタート信号、確率変動信号等の遊技用データを処理して、カラー液晶ディスプレイ２２に表示させたり、各種信号に応じた画像データを画像ＲＯＭ３８から読み出してカラー液晶ディスプレイ２２に表示させるように、画像表示コントローラ３３に制御信号を出力する。また、後述するリモコン信号受信ＩＣ３５が受信した信号に応じて、デジタルカメラ２７が撮像する画像を画像ＲＯＭ３８に取り込んで記憶させたり、カラー液晶ディスプレイ２２に表示させる。
【００２０】
リモコン信号受信ＩＣ３５は、リモコン送信機４５からの信号を受信するもので、リモコン送信機４３からの信号には、画像取り込みモード切替信号、画像取り込み動作実行信号、画像取り込み終了信号や画像表示切替信号等がある。バス切替装置３６は、画像ＲＯＭ３８へのデータ及びアドレス制御ラインを切替える装置である。音源コントローラ４０は音源ＲＯＭ４１に記憶された所定の音源を、表示画像とともにサウンドスピーカ２４から出力する。また、通信インターフェース４２は、パチンコ機１の制御回路１０やホールコンピュータ１１との間で上記各種データを通信するためのものである。
【００２１】
信号入力インターフェース４３には、上記データ表示装置２１の呼び出しボタン２５とデータ表示切替ボタン２６が接続されている。これらのボタンが操作されると、主制御ＩＣ３２によりＬＥＤランプ表示部２３が点灯若しくは点滅したり、カラー液晶ディスプレイ２２に表示される遊技用データや画像及び音声が切替表示される。
【００２２】
上記構成のデータ表示装置２１は、制御回路１０から直接入力したり、ホールコンピュータ１１から配信されるスタート回数、大当り回数、連続大当り回数、確率変動回数等の遊技用データをカラー液晶ディスプレイ２２に表示するとともに、リモコン送信機４３からの信号に基づいてデジタルカメラ２７で撮像した画像データ等を画像ＲＯＭ３８に記憶するとともに、カラー液晶ディスプレイ２２に表示できる。
【００２３】
従って、遊技中に大当り等の特定の事象が発生した場合には、ホール従業員がリモコン送信機４５により、データ表示装置２１を画像取り込みモードに切替える。画像取り込みモードでは、画像切替コントローラ３２によりカラー液晶ディスプレイ２２に表示される画像が、デジタルカメラ２７が撮像する遊技者の画像に切替わる。ホール従業員は、この画像を見ながら画像取り込み動作実行信号をリモコン送信機４５により送信する。
【００２４】
画像取り込み動作実行信号はリモコン信号受信ＩＣ３５を介して主制御ＩＣ３４に入力される。主制御ＩＣ３５は、バス切替装置３６により画像ＲＯＭ３８と画像入力コントローラ３１を接続して、取り込んだ画像を画像ＲＯＭ３８に記憶する。記憶処理完了後、主制御ＩＣ３５は画像取り込みモードを解除するとともに、バス切替装置３６により画像ＲＯＭ３８と画像表示コントローラ３３を接続し、画像切替コントローラ３２により、取り込んだ遊技者の画像とともに画像ＲＯＭ３８に予め記憶した大当たり発生時のメッセージ画像等をカラー液晶ディスプレイ２２に表示する。同時にサウンドスピーカ２４から、大当たりが発生した旨の音声メッセージやＢＧＭが出力される。表示画像が良好でかつ適当であれば、ホール従業員はリモコン送信機４３を操作して、画像取り込み終了信号を送信して操作を終了する。
【００２５】
上記したように、リモコン送信機４５を操作して遊技中に大当り等の特定の事象が発生した場合にはデジタルカメラ２７が撮像した遊技者の画像とともに、その出玉数等の証拠となる遊技用データ等をカラー液晶ディスプレイ２２に表示することができ、遊技の興趣が高まり遊技意欲をより一層向上することができる。そして、カラー液晶ディスプレイ２２に表示された画像は、パソコン等を介してプリントアウトし遊技者に提供することもできる。また、ホールコンピュータ１１の処理により、当該画像データや音声データを、パチンコホールの全てのデータ表示装置２１に配信させて表示させることもできる。
【００２６】
尚、この遊技者の画像は、遊技者が交代した時や所定時間が経過したときには、自動的に若しくはリモコン送信機４５により画像表示コントローラ３３からの遊技用データや所定の画像データに切替えることができる。
【００２７】
（第２実施形態）
図４は、第２実施形態のデータ表示装置５１の概略構成を示したブロック図である。このデータ表示装置５１では、信号入力インターフェース４１にパチンコ機１に配設した扉開閉センサ５２や磁気・電波センサ５３を接続した点が、第１実施形態のものと相違するだけである。従って、同一構成部分には、第１実施形態に付した符号を付してその詳細な説明を省略する。
【００２８】
遊技者等がパチンコ機１の扉を開けたり、磁石を用いて打玉を誘導したり或いは電波を発して制御回路１０を変調させたりする不正遊技行為を行うと、扉開閉センサ５２や磁気・電波センサ５３により検出される。そして、その検出信号が信号入力インターフェース４３を介して主制御ＩＣ３５に入力される。主制御ＩＣ３５は、データ表示装置２１を画像取り込みモードに切替える。画像取り込みモードでは、バス切替装置３６により画像ＲＯＭ３８と画像入力コントローラ３１を接続して、デジタルカメラ２７が取り込んだ画像を画像ＲＯＭ３８に記憶する。
【００２９】
記憶処理完了後、主制御ＩＣ３５は画像取り込みモードを解除するとともに、バス切替装置３６により画像ＲＯＭ３８と画像表示コントローラ３３を接続し、画像切替コントローラ３２により、予め画像ＲＯＭ３８に記憶した「取り込み処理を行った画像が存在する」旨のメッセージを、画像表示コントローラ３３により出力して、カラー液晶ディスプレイ２２に表示する。そして、この取り込み画像は、ホール従業員がリモコン送信機４５により取り込み画像表示信号を送信することにより、カラー液晶ディスプレイ２２に表示することができる。
【００３０】
上記したように、パチンコ機１に配設した扉開閉センサ５２や磁気・電波センサ５３の検出信号に基づき、デジタルカメラ２７が取り込んだ画像を画像ＲＯＭ３８に記憶するとともにカラー液晶ディスプレイ２２に表示することができるから、不正遊技行為を確認でき、その取り締まりやその防止に寄与できる。
【００３１】
その他、デジタルカメラ２７による撮像は、パチンコ機１の制御回路１０が出力する大当り信号により作動させたり、パチンコホールやパチンコ機１若しくはデータ表示装置２１に配設した手動スイッチにより作動させたりすることができる。
【００３２】
尚、デジタルカメラ２７を可撓性ホルダやユニバーサルホルダにより保持して、撮像角度を自在に調整できるようにしてもよい。また、上記実施形態は遊技機としてパチンコ機を例示したが、本発明の遊技機用データ表示装置は回胴式遊技機にも適用できることはいうまでもない。
【図面の簡単な説明】
【図１】第１実施形態に係るデータ表示装置を備えたパチンコ機の概略を示した正面図である。
【図２】第１実施形態に係るデータ表示装置の拡大正面図である。
【図３】第１実施形態に係るデータ表示装置の概略構成を示したブロック図である。
【図４】第２実施形態に係るデータ表示装置の概略構成を示したブロック図である。
【符号の説明】
１．．．パチンコ機
２１、５１．．．データ表示装置
２２．．．カラー液晶ディスプレイ
２７．．．デジタルカメラ
２８．．．リモコン信号受信部
３１．．．画像入力コントローラ
３２．．．画像切替コントローラ
３３．．．画像表示コントローラ
３４．．．主制御ＩＣ
３５．．．リモコン信号受信ＩＣ
３６．．．バス切替装置
３８．．．画像ＲＯＭ
３９．．．プログラムＲＯＭ
４２．．．通信インターフェース
４３．．．信号入力インターフェース
４５．．．リモコン送信機
５２．．．扉開閉センサ
５３．．．磁気・電波センサ
【図１】
2004033268.tif 000003
【図２】
2004033268.tif 000004
【図３】
2004033268.tif 000005
【図４】
2004033268.tif 000006